(57)【要約】【課題】制御機を介さずに集合住宅の内外の通信ネットワークに接続することができ、而も集合玄関機、住戸端末、管理室親機からの警報信号等のデータ容量に関係なく集合住宅の内外の通信ネットワークに送信することができるようにする。【解決手段】制御機４にそれぞれ接続されている集合玄関機１１、居室親機２１及び管理室親機３１と、外部機器１３、２４及び３３とを接続し、制御信号、音声信号、映像信号を送受信するにあたり、集合玄関機１１、居室親機２１及び管理室親機３１と、外部機器１３、２４及び３３との間にインターフェースをとるためのアダプタ１４、２５及び３４を介在させる。また、外部機器１３、２４及び３３は集合住宅外に構築された加入電話網５やパケット網６に接続されている。【選択図】図１
2005278102.tif 000002
【特許請求の範囲】
【請求項１】
集合住宅の集合玄関に集合玄関機（１１）、各住戸に各住戸端末（２１）をそれぞれ設け、
前記各住戸端末と外部機器（２４）とを接続して制御信号、音声信号、映像信号を送信及び／又は受信するにあたり前記外部機器と前記各住戸端末間にインターフェースをとるためのアダプタ（２５）を備えたことを特徴とする集合住宅インターホンシステム。
【請求項２】
集合住宅の共用部に制御機（４）、集合玄関に集合玄関機（１１）、各住戸に設けられていた各住戸端末の代わりに外部機器（２６）をそれぞれ設け、
前記制御機と前記外部機器とを接続して制御信号、音声信号、映像信号を送信及び／又は受信するにあたり前記外部機器と前記制御機間にインターフェースをとるためのアダプタ（２７）を備えたことを特徴とする集合住宅インターホンシステム。
【請求項３】
集合住宅の集合玄関に集合玄関機（１１）、管理室に管理室親機（３１）をそれぞれ設け、
前記管理室親機と外部機器（３３）とを接続して制御信号、音声信号、映像信号を送信及び／又は受信するにあたり前記外部機器と前記管理室親機間にインターフェースをとるためのアダプタ（３４）を備えたことを特徴とする集合住宅インターホンシステム。
【請求項４】
集合住宅の共用部に制御機（４）、集合玄関に集合玄関機（１１）、管理室に設けられていた管理室親機の代わりに外部機器（３５）をそれぞれ設け、
前記制御機と前記外部機器とを接続して制御信号、音声信号、映像信号を送信及び／又は受信するにあたり前記外部機器と前記制御機間にインターフェースをとるためのアダプタ（３６）を備えたことを特徴とする集合住宅インターホンシステム。
【請求項５】
集合住宅の集合玄関に集合玄関機（１１）、各住戸に各住戸端末（２１）をそれぞれ設け、
前記集合玄関機と外部機器（１３）とを接続して制御信号、音声信号、映像信号を送信及び／又は受信するにあたり前記集合玄関機と前記外部機器間にインターフェースをとるためのアダプタ（１４）を備えたことを特徴とする集合住宅インターホンシステム。
【請求項６】
集合住宅の共用部に制御機（４）、集合玄関に設けられていた集合玄関機の代わりに外部機器（１５）をそれぞれ設け、
前記制御機と前記外部機器とを接続して制御信号、音声信号、映像信号を送信及び／又は受信するにあたり前記外部機器と前記制御機間にインターフェースをとるためのアダプタ（１６）を備えたことを特徴とする集合住宅インターホンシステム。
【請求項７】
前記外部機器を集合住宅の内外の無線ネットワーク又は有線ネットワークに接続し、前記制御信号、前記音声信号、前記映像信号を送信及び／又は受信することを特徴とする請求項１乃至請求項６何れか１項記載の集合住宅インターホンシステム。
【発明の詳細な説明】
【技術分野】
【０００１】
本発明は、集合住宅インターホンシステムに係り、特に、集合住宅の内外の通信ネットワークに接続可能な外部機器とインターホン装置とを接続するためのアダプタを備えた集合住宅インターホンシステムに関する。
【背景技術】
【０００２】
従来から、集合住宅インターホンシステムは図２に示すように、一般的には、集合玄関１００に設置される集合玄関機１０１と、住戸２００内に設置され集合玄関機１０１との通話を行なう居室親機２０１と、管理室３００に設置され集合玄関機１０１及び居室親機２０１との通話を行なう管理室親機３０１と、集合玄関機１０１、居室親機２０１及び管理室親機３０１による相互通話を制御する制御機４００とを備えている。制御機４００は、集合玄関用ラインＬ１００で集合玄関機１０１に、住戸用ラインＬ２００で居室親機２０１に、管理室用ラインＬ３００で管理室親機３０１にそれぞれ接続されている。
【０００３】
また、居室親機２０１には、生活異常などを知らせるための緊急呼出ボタン２０２と、ガス漏れを検知するためのガス検知器２０３と、火災を感知するための火災感知器２０４と、住戸２００の玄関で来訪者が住戸内の居住者を呼び出し居室親機２０１と通話を行うためのドアホン子機２０５と、住戸２００の玄関に来訪した来訪者の映像を撮像するためのカメラ子機２０６と、住戸内に増設された増設居室親機２０７とが接続されている。
【０００４】
なお、集合玄関機１０１、居室親機２０１、管理室親機３０１が設置されている集合玄関１００、住戸２００、管理室３００は集合住宅の規模に応じて複数台設置されることになる。
【０００５】
このように構成された集合住宅インターホンシステムの制御機４００は、電気通信事業者が提供する通信回線Ｌ５００を介して警備会社等の外部機関であるコールセンター６００内のパーソナルコンピュータ６０１に接続されている。具体的には、制御機４００は集合玄関機１０１、居室親機２０１、管理室親機３０１からの音声情報及び映像情報の交換を行うと共に火災等の警報を集合住宅外へ移報する機能を有する第１の回線接続装置７００に接続されている（例えば、非特許文献１参照）。また、コールセンター６００内のパーソナルコンピュータ６０１はコールセンター側で火災等の警報を受信するための第２の回線接続装置６０２に接続され、この第１の回線接続装置７００と第２の回線接続装置６０２とは通信回線Ｌ５００に接続されている。
【０００６】
次に、何れかの住戸２００で生活異常が発生して、例えば緊急呼出ボタン２０２で呼び出し操作された場合における集合住宅インターホンシステムによるコールセンター６００への移報動作について説明する。
【０００７】
何れかの住戸２００で緊急呼出ボタン２０２が呼び出し操作されると、居室親機２０１は緊急呼出ボタン２０２の呼び出し操作を検出し、住戸用線路Ｌ２００を介して緊急呼出信号Ｓ１０１を制御機４００に送信する。制御機４００は緊急呼出信号Ｓ１０１を受信すると、その緊急呼出信号Ｓ１０１を通信回線Ｌ５００を介してコールセンター６００に送信するために、予め定められたフォーマットで第１の回線接続装置７００へ送信する。コールセンター６００の第２の回線接続装置６０２は第１の回線接続装置７００からの緊急呼出信号Ｓ１０１’を受信すると、パーソナルコンピュータ６０１でデータ処理可能な信号に変換して該パーソナルコンピュータ６０１に送信する。該パーソナルコンピュータ６０１は受信した緊急呼出信号Ｓ１０１”に基づき緊急呼出ボタン１０４が呼び出し操作された住戸２００で生活異常が起きたことを表示すると共に報知することができる。
【０００８】
【非特許文献１】集合住宅用ＶＨＸシステム工事説明書、アイホン株式会社、２００１年１１月２６日発行、ｐ．６６−６７
【発明の開示】
【発明が解決しようとする課題】
【０００９】
背景技術に記載した集合住宅インターホンシステムでは、緊急呼出ボタン２０２による生活異常情報、ガス検知器２０３によるガス検知情報、火災感知器２０４による火災感知情報、オートロックに関する情報、宅配ボックスに関する情報や、防犯センサによる防犯情報などの各種センサに関する情報を、制御機４００に内蔵された移報出力回路（図示せず）から第１の回線接続装置７００に対して、メイク接点、ブレイク接点といった２値の情報で出力したり、ＲＳ−２３２ＣやＲＳ−４２２等の低速なシリアル通信で出力したりするシステム構成なので、一部の情報しかデータ送受信ができず、また、画像データ等の容量の大きい情報は送信できない等の難点があった。
【００１０】
本発明は、このような従来の難点を解決するためになされたもので、制御機を介さずに集合住宅の内外の通信ネットワークに接続することができ、而も集合玄関機、住戸端末、管理室親機からの警報信号等のデータ容量に関係なく集合住宅の内外の通信ネットワークに送信することができる集合住宅インターホンシステムを提供することを目的とする。
【課題を解決するための手段】
【００１１】
本発明の集合住宅インターホンシステムは、集合玄関機、住戸端末及び／又は管理室親機と外部機器とを接続し、制御信号、音声信号、映像信号を送信及び／又は受信するにあたり、集合玄関機、住戸端末及び／又は管理室親機と外部機器との間にインターフェースをとるためのアダプタを備えているものである。なお、ここで言う外部機器とは、集合玄関機、住戸端末及び管理室親機以外の集合玄関、住戸、管理室に設置される通信可能な各種機器をいう。
【００１２】
この集合住宅インターホンシステムによれば、集合玄関機、住戸端末及び／又は管理室親機と外部機器との間に備えられたインターフェースをとるためのアダプタは、制御信号、音声信号、映像信号を集合玄関機、住戸端末及び／又は管理室親機と、外部機器との間で送受信可能に信号処理することができるので、外部機器を利用したシームレスなネットワーク利用環境を提供することができる。
【００１３】
また、本発明の集合住宅インターホンシステムは、集合玄関機、住戸端末及び／又は管理室親機の代わりに外部機器を設け、この外部機器と制御機とを接続し、制御信号、音声信号、映像信号を送信及び／又は受信するにあたり制御機と外部機器との間にインターフェースをとるためのアダプタを備えているものである。なお、ここで言う外部機器とは、呼び出し、通話等を行なうインターホン機能を有するものをいう。
【００１４】
この集合住宅インターホンシステムによれば、制御機と外部機器との間に備えられたインターフェースをとるためのアダプタは、制御信号、音声信号、映像信号を制御機と外部機器との間で送受信可能に信号処理することができるので、外部機器を利用したシームレスなネットワーク利用環境を提供することができる。
【００１５】
また、本発明の集合住宅インターホンシステムにおいて、外部機器を集合住宅の内外の無線ネットワーク又は有線ネットワークに接続し、制御信号、音声信号、映像信号を送信及び／又は受信するものである。このように、無線ネットワーク又は有線ネットワークに外部機器を接続すると、アダプタからの各信号を集合住宅の内外の無線ネットワーク又は有線ネットワークに応じた伝送制御形態に自動的に変更することができるので、外部機器は制御信号、音声信号、映像信号を伝送信号で無線ネットワーク又は有線ネットワークに送信することができるようになる。また、無線ネットワーク又は有線ネットワークに対して制御信号、音声信号、映像信号を制御機を介して送受信しなくとも済むので、画像データ等の容量の大きいデータでもデータ容量に関係なく送受信できるようになる。
【発明の効果】
【００１６】
本発明の集合住宅インターホンシステムによれば、制御機を介さずに集合住宅の内外の通信ネットワークに接続することができるようになるので、シームレスなネットワーク利用環境を提供することができ、また、集合玄関機、住戸端末、管理室親機からの警報信号等のデータ容量に関係なく集合住宅の内外の通信ネットワークに送信することができる。したがって、加入電話網やパケット網などの公衆通信回線網を介してパーソナルコンピュータや携帯電話などの通信端末を利用したネットワークによる集合住宅のセキュリティやコミュニケーションサービスを広く提供できるようになる。
【発明を実施するための最良の形態】
【００１７】
以下、本発明の集合住宅インターホンシステムを実施するための最良の形態例について、図面を参照して説明する。
【００１８】
本発明を実施するための最良の一形態である集合住宅インターホンシステムは図１に示すように、集合玄関１Ａに設置される集合玄関機１１と、住戸２Ａ内に設置され集合玄関機１１との通話を行なう住戸端末である居室親機２１と、管理室３Ａに設置され集合玄関機１１及び居室親機２１との通話を行なう管理室親機３１と、集合住宅の共用部に設けられ集合玄関機１１、居室親機２１及び管理室親機３１による相互通話を制御する制御機４とを備えている。
【００１９】
集合玄関１Ａの集合玄関機１１は、集合玄関用ラインＬ１で制御機４に接続されると共に、増設集合玄関機１２を接続するための接続端子１１ａが設けられ、集合玄関用増設ラインＬ１１で増設集合玄関機１２を接続することができる。また、この集合玄関機１１の接続端子１１ａに接続された集合玄関用増設ラインＬ１１には、増設集合玄関機１２と同等のインターホン機能（呼び出し、通話機能）を有するパーソナル・コンピュータなどの電子機器である外部機器１３が接続されている。この外部機器１３には、集合玄関機１１と外部機器１３とのインターフェースをとるためのアダプタ１４が組み込まれている。アダプタ１４は、制御信号、音声信号、映像信号を集合玄関機１１と外部機器１３との間で送受信可能に信号処理する通信機能を有している。
【００２０】
住戸２Ａ内の居室親機２１は、生活異常などを知らせるための緊急呼出ボタン２２Ａと、ガス漏れを検知するためのガス検知器２２Ｂと、火災を感知するための火災感知器２２Ｃと、住戸２Ａの玄関で来訪者が住戸内の居住者を呼び出し居室親機２１と通話を行うためのドアホン子機２２Ｄと、住戸２Ａの玄関に来訪した来訪者の映像を撮像するためのカメラ子機２２Ｅとが接続されている。
【００２１】
また、住戸２Ａ内の居室親機２１は、住戸用ラインＬ２で制御機４に接続されると共に、増設居室親機２３を接続するための接続端子２１ａが設けられ、住戸用増設ラインＬ２１で増設居室親機２３を接続することができる。また、この居室親機２１の接続端子２１ａに接続された住戸用増設ラインＬ２１には、増設居室親機２３と同等のインターホン機能（呼び出し、通話機能）を有するパーソナル・コンピュータなどの電子機器である外部機器２４が接続されている。この外部機器２４には、居室親機２１と外部機器２４とのインターフェースをとるためのアダプタ２５が組み込まれている。アダプタ２５は、制御信号、音声信号、映像信号を居室親機２１と外部機器２４との間で送受信可能に信号処理する通信機能を有している。
【００２２】
管理室３Ａの管理室親機３１は、管理室用ラインＬ３で制御機４に接続されると共に、増設管理室親機３２を接続するための接続端子３１ａが設けられ、管理室用増設ラインＬ３１で増設管理室親機３２を接続することができる。また、この管理室親機３１の接続端子３１ａに接続された管理室用増設ラインＬ３１には、増設管理室親機３２と同等のインターホン機能（呼び出し、通話機能）を有するパーソナル・コンピュータなどの電子機器である外部機器３３が接続されている。この外部機器３３には、管理室親機３１と外部機器３３とのインターフェースをとるためのアダプタ３４が組み込まれている。アダプタ３４は、制御信号、音声信号、映像信号を管理室親機３１と外部機器３３との間で送受信可能に信号処理する通信機能を有している。
【００２３】
また、このような集合住宅には、増設集合玄関機１２と同等のインターホン機能（呼び出し、通話機能）を有するパーソナル・コンピュータなどの電子機器である外部機器１５のみが設置されている集合玄関１Ｂと、増設居室親機２３と同等のインターホン機能（呼び出し、通話機能）を有するパーソナル・コンピュータなどの電子機器である外部機器２６のみが設置されている住戸２Ｂと、増設管理室親機３２と同等のインターホン機能（呼び出し、通話機能）を有するパーソナル・コンピュータなどの電子機器である外部機器３５のみが設置されている管理室３Ｂとが設けられている場合もある。
【００２４】
外部機器１５には制御機４と該外部機器１５とのインターフェースをとるためのアダプタ１６が、外部機器２６には制御機４と該外部機器２６とのインターフェースをとるためのアダプタ２７が、外部機器３５には制御機４と該外部機器３５とのインターフェースをとるためのアダプタ３６が、それぞれ組み込まれている。これらアダプタ１６、２７、３６は、それぞれ制御信号、音声信号、映像信号を制御機４と外部機器１５、２６、３５との間で送受信可能に信号処理する通信機能を有している。なお、集合玄関１Ｂに設置された外部機器１５には、緊急呼出ボタン２２Ａ、ガス検知器２２Ｂ、火災感知器２２Ｃを接続するための接続端子を備えたものもある。
【００２５】
このような集合住宅インターホンシステムは、さらに、集合玄関１Ａの外部機器１３、住戸２Ａ内の外部機器２５及び管理室３Ａ内の外部機器３３が、また、集合玄関１Ｂの外部機器１５、住戸２Ｂ内の外部機器２６及び管理室３Ｂ内の外部機器３５がそれぞれ、加入電話網５やパケット網６などの公衆通信回線網に接続するための回線接続装置７に接続されている。この回線接続装置７は、加入電話網５を介して警備会社等の外部機関であるコールセンター８に接続することができ、また、パケット網６を介して携帯電話９やパーソナル・コンピュータ１０に接続することができるので、集合住宅と、コールセンター８、携帯電話９、パーソナル・コンピュータ１０との間で制御信号、音声信号、映像信号を送受信することができるようになる。
【００２６】
なお、住戸２Ａ内の外部機器２４は、居室親機２１で不在設定がされている場合に、加入電話網５やパケット網６を介して予め設定されている連絡先である携帯電話９やパーソナル・コンピュータ１０を呼び出す機能を備えている。また、住戸２Ｂ内の外部機器２６も、当該外部機器２６で不在設定がされている場合に、加入電話網５やパケット網６を介して予め設定されている連絡先である携帯電話９やパーソナル・コンピュータ１０を呼び出す機能を備えている。
【００２７】
このように構成された集合住宅インターホンシステムにおいて、来訪者が集合玄関１Ａの集合玄関機１１から例えば住戸２Ａを呼び出すための呼出操作をすると、該集合玄関機１１は住戸２Ａへの呼び出しとなる制御信号Ｓ１と、カメラ１１ｂで撮像した来訪者の映像信号Ｓ２を制御機４に送信する。制御機４がその制御信号Ｓ１、映像信号Ｓ２を住戸用ラインＬ２に伝送すると、住戸２Ａの居室親機２１や居室親機２１に接続されている増設居室親機２３は、その制御信号Ｓ１、映像信号Ｓ２に基づき呼出音を報知しモニタ２１ｂやモニタ２３ａに来訪者を表示することができる。また、この制御信号Ｓ１、映像信号Ｓ２は住戸用増設ラインＬ２１を介して外部機器２４のアダプタ２５に受信され、アダプタ２５はこれら信号Ｓ１、Ｓ２を外部機器２４で受信可能に信号処理して該外部機器２４に出力する。この際、居室親機２１で不在設定がされていると、外部機器２４は制御信号Ｓ１、映像信号Ｓ２を加入電話網５あるいはパケット網６に応じた伝送制御形態に自動的に変更し、回線接続装置７を介して該加入電話網５あるいは該パケット網６に送信する。これにより、外出中の居住者は所持する携帯電話９やパーソナル・コンピュータ１０で集合玄関１Ａに来訪者があることを確認できる。
【００２８】
居住者は、例えば携帯電話９で集合玄関１Ａに来訪者があることを確認後、集合玄関機１１からの呼び出しに応答するために、携帯電話９をボタン操作して集合玄関機１１と通話状態にして携帯電話９のマイク（図示せず）で送話を行うと、音声信号Ｓ３がパケット網６あるいは加入電話網５を介して回線接続装置７に送信される。この回線接続装置７で受信された音声信号Ｓ３が住戸２Ａの外部機器２４で受信されると、アダプタ２５が居室親機２１で送受信可能な音声信号Ｓ３’にして、住戸用増設ラインＬ２１を介して居室親機２１に送信する。居室親機２１はこの音声信号Ｓ３’を制御機４に送信する。制御機４はこの音声信号Ｓ３’を集合玄関用ラインＬ１を介して通話ラインが形成されている集合玄関機１１に送信するので、来訪者は集合玄関機１１のスピーカ１１ｃで携帯電話９からの送話を確認できる。
【００２９】
この携帯電話９からの送話に呼応するために、来訪者が集合玄関機１１のマイク１１ｄから送話を行うと、音声信号Ｓ４が集合玄関用ラインＬ１を介して制御機４に受信され、制御機４はその音声信号Ｓ４を住戸２Ａの居室親機２１に送信する。また、この音声信号Ｓ４は住戸用増設ラインＬ２１を介して外部機器２４のアダプタ２５に受信され、アダプタ２５は音声信号Ｓ４を外部機器２４で受信可能に信号処理して該外部機器２４に出力する。この際、居室親機２１で不在設定がされているので、外部機器２４は音声信号Ｓ４を、加入電話網５あるいはパケット網６に応じた伝送制御形態に自動的に変更し、該加入電話網５あるいは該パケット網６を介して住戸２Ａの居住者が所持する携帯電話９に送信するので、居住者は携帯電話９のスピーカ（図示せず）で集合玄関機１Ａからの送話を確認できる。
【００３０】
この際、居住者が来訪者を住戸２Ａに招き入れるために、携帯電話９のボタン操作により集合玄関１Ａのオートドア（図示せず）を解錠するＰＢ信号を入力すると、そのＰＢ信号である制御信号Ｓ５がパケット網６あるいは加入電話網５を介して回線接続装置７に送信される。この回線接続装置７で受信された制御信号Ｓ５が住戸２Ａの外部機器２４で受信されると、アダプタ２５が居室親機２１で送受信可能な制御信号Ｓ５’にして、住戸用増設ラインＬ２１を介して居室親機２１に送信する。居室親機２１はこの制御信号Ｓ５’を、住戸用ラインＬ２を介して制御機４に送信し、制御機４はこの制御信号Ｓ５’を集合玄関用ラインＬ１を介して通話ラインが形成されている集合玄関１Ａの集合玄関機１１に送信するので、集合玄関機１１はこのＰＢ信号である制御信号Ｓ５’に基づき集合玄関１Ａのオートドアを解錠することができる。
【００３１】
このように、外出中の居住者が携帯電話９で応答操作すると、その場であたかも居室親機２１、増設居室親機２３又は外部機器２４で応答したかのように通話を行うことができ、而も集合玄関１Ａや住戸２Ａの開錠／施錠操作も行うことができる。
【００３２】
なお、住戸２Ａのドアホン子機２２Ｄやカメラ子機２２Ｅから出力される制御信号、音声信号、映像信号も上述のように、アダプタ２５で各信号を外部機器２４で受信可能に信号処理して該外部機器２４に出力することができ、また、回線接続装置７から送信された各種信号もアダプタ２５で居室親機２１や増設居室親機２３で送受信可能な信号にすることができる。
【００３３】
また、このように構成された集合住宅インターホンシステムにおいて、住戸２Ａの居住者が急病等により緊急呼出ボタン２２Ａを呼出操作をすると、居室親機２１はコールセンター８への呼び出しとなる制御信号Ｓ６を住戸用増設ラインＬ２１を介して外部機器２４のアダプタ２５に送信する。アダプタ２５は制御信号Ｓ６を外部機器２４で受信可能に信号処理して該外部機器２４に出力する。外部機器２４はコールセンター８への呼び出しとなる制御信号Ｓ６なので、この制御信号Ｓ６を加入電話網５あるいはパケット網６に応じた伝送制御形態に自動的に変更し、回線接続装置７を介して該加入電話網５あるいは該パケット網６に送信するので、コールセンター８では集合住宅の住戸２Ａで生活異常が発生していることを確認できる。なお、居室親機２１に接続されたガス検知器２２Ｂ及び火災感知器２２Ｃから出力されるガス検知及び火災感知となる制御信号も呼び出しとなる制御信号Ｓ１と同様にしてコールセンター８で住戸２Ａにおいて生活異常があったことを確認できる。
【００３４】
さらに、このように構成された集合住宅インターホンシステムにおいては、外部機器２４に組み込まれたアダプタ２５と共に他の外部機器１３、１５、２６、３３、３５に組み込まれたアダプタ１４、１６、２７、３４、３６においても、機器間のインターフェースをとることができるので、集合玄関１Ａの集合玄関１１と外部機器１３との間、集合玄関１Ｂの外部機器１５と制御機４との間、住戸２Ｂの外部機器２６と制御機４との間、管理室３Ａの管理室親機３１と外部機器３３との間、管理室３Ｂの外部機器３５と制御機４との間では、それぞれ信号自体の形態を変更することなく信号の送受信を行うことができる。したがって、アダプタが組み込まれた各外部機器は画像データ等の容量の大きいデータでもデータ容量に関係なく送受信できるようになる。
【００３５】
なお、上述した本発明の実施形態においては、住戸が２戸、管理室が２室、集合玄関が２箇所から成る集合住宅として説明してきたが、これに限らず、集合玄関機、居室親機、管理室親機、あるいは外部機器のみが設置されている集合玄関、住戸、管理室は集合住宅の規模に応じて種々のパターンで設けられることになる。また、本発明は、宅配ボックスに関する情報や、防犯センサによる防犯情報などの各種センサに関する情報も、アダプタでインターホン機器と外部機器との間のインターフェースをとることにより、制御機を介さずに加入電話網やパケット網を介して携帯電話やコールセンターに送信できる。
【００３６】
また、上述した本発明の実施形態においては、インターホン機器と外部機器との間のインターフェースをとるアダプタは外部機器に組み込まれていたが、これに限らず、インターホン機器と外部機器との間にアダプタ単体で介在させるようにしてもよい。
【００３７】
また、上述した本発明の実施形態においては、回線接続装置を介して集合住宅外の有線ネットワークに接続していたが、これに限らず、無線ネットワークでもよく、また、集合住宅内の無線ネットワーク又は有線ネットワークに接続しても同様の効果を得ることができる。
【図面の簡単な説明】
【００３８】
【図１】本発明における集合住宅インターホンシステムによる最良な実施の一形態を示すブロック図。
【図２】従来の集合住宅インターホンシステムを示すブロック図。
【符号の説明】
【００３９】
４……制御機
２１……居室親機（住戸端末）
１１……集合玄関機
１３、１５、２４、２６、３３、３５……外部機器
１４、１６、２５、２７、３４、３６……アダプタ
３１……管理室親機
５……加入電話網（有線ネットワーク）
６……パケット網（有線ネットワーク）
【図１】
2005278102.tif 000003
【図２】
2005278102.tif 000004